(57)【要約】      （修正有）【課題】目地部を介して設けられた建物が大きく揺れ動いても、小口カバーがその揺れ動きに追従してスムーズにスライド移動して、損傷や目地部に開口部が生じたりするのを防止することができる笠木装置を提供する。【解決手段】一方の建物２の外壁面に後端部が固定され、先端部が他方の建物４の上面内側に突出するように設けられた目地カバー取付金具７と、この目地カバー取付金具７を覆うように固定され目地カバー１と、一方の建物２の外壁面に沿うように固定された下端部が開口された筒状のガイドレール１４と、このガイドレール１４に沿って移動するスライドカバー１５、このスライドカバー１５の前側面に設けられた小口カバー１７と、この小口カバー１７の側壁が他方の建物４の壁面と当接する方向に付勢する付勢装置２４と、ガイドレール１４を覆うように一方の建物２の外壁面に固定されたクランク状の水切りカバー２２とで笠木装置１を構成している。【選択図】図１
2011256639.tif 000002
【特許請求の範囲】
【請求項１】
一方の建物の外壁面に後端部が固定され、先端部が該一方の建物と目地部を介して設けられた他方の建物の上面内側に突出するように所定間隔で設けられた複数個の目地カバー取付金具と、この複数個の目地カバー取付金具を覆うように固定されるとともに、前記一方の建物の外壁面に後端部が固定された目地カバーと、この目地カバーの後端部の上面あるいは該目地カバーの後端部の上部位置の前記一方の建物の外壁面に、該外壁面に沿うように固定された下端部が開口された筒状のガイドレールと、このガイドレールに沿って移動できるように後端部が取付けられ、先端部が前記目地カバーの先端部を覆うスライドカバー、このスライドカバーの前側面に設けられた前記他方の建物の壁面と当接する側壁とを備える小口カバーと、この小口カバーの側壁が他方の建物の壁面と当接する方向に付勢する付勢装置と、前記ガイドレールを覆うように前記一方の建物の外壁面に固定されたクランク状の水切りカバーとからなることを特徴とする笠木装置。
【請求項２】
ガイドレールに下部が開口されたほぼ角筒形状のものを用いるとともに、このガイドレールにスライド移動可能なパイプを小口カバーのスライドカバーの後端部に固定し、かつ目地カバーの先端部に小口カバーのスライドカバーのスライド移動がスムーズにできるように複数個のローラーあるいはスベリ材が取付けられていることを特徴とする請求項１記載の笠木装置。
【発明の詳細な説明】
【技術分野】
【０００１】
本発明は目地部を介して設けられた建物の上部の目地部を覆う笠木装置に関する。
【背景技術】
【０００２】
従来、この種の笠木装置は側面を覆うことができる小口カバーを設けているが、最近の免震建物では大きな揺れ動きを吸収できるようにしているため、小口カバーの移動量を１０００ｍｍ以上もスムーズに移動できるようにしなければ設置できないという欠点があった。
【先行技術文献】
【特許文献】
【０００３】
【特許文献１】特許第３１６０５５７号公報
【発明の概要】
【発明が解決しようとする課題】
【０００４】
本発明は以上のような従来の欠点に鑑み、目地部を介して設けられた建物が大きく揺れ動いても、小口カバーがその揺れ動きに追従してスムーズにスライド移動して、損傷や目地部に開口部が生じたりするのを防止することができるとともに、大きな小口カバーでも確実にスライド移動可能に支持することができる笠木装置を提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明は一方の建物の外壁面に後端部が固定され、先端部が該一方の建物と目地部を介して設けられた他方の建物の上面内側に突出するように所定間隔で設けられた複数個の目地カバー取付金具と、この複数個の目地カバー取付金具を覆うように固定されるとともに、前記一方の建物の外壁面に後端部が固定された目地カバーと、この目地カバーの後端部の上部位置の前記一方の建物の外壁面に、該外壁面に沿うように固定された下端部が開口された筒状のガイドレールと、このガイドレールに沿って移動できるように後端部が取付けられ、先端部が前記目地カバーの先端部を覆うスライドカバー、このスライドカバーの前側面に設けられた前記他方の建物の壁面と当接する側壁とを備える小口カバーと、この小口カバーの側壁が他方の建物の壁面と当接する方向に付勢する付勢装置と、前記ガイドレールを覆うように前記一方の建物の外壁面に固定されたクランク状の水切りカバーとで笠木装置を構成している。
【発明の効果】
【０００８】
以上の説明から明らかなように、本発明にあっては次に列挙する効果が得られる。
（１）請求項１により、小口カバーを一方の建物の外壁面に固定されたガイドレールに沿ってスライド移動できるようにしているので、小口カバーを大きくスライド移動させることができる。
（２）前記（１）により、目地カバーの上部を小口カバーで覆っているので、構造が簡単で、容易に設置することができる。
（３）前記（１）  により、水切りカバーでガイドレールを覆っているので、ガイドレールを長くしても見苦しくなることなく、十分な水切りを行なうことができる。
（４）請求項２も前記（１）〜（３）と同様な効果が得られるとともに、よりスムーズに小口カバーをスライド移動させることができる。
【図面の簡単な説明】
【０００９】
【図１】本発明を実施するための第１の形態の正面図。
【図２】本発明を実施するための第１の形態の平面図。
【図３】図２の３−３線に沿う断面図。
【図４】本発明を実施するための第１の形態の目地カバー取付金具の取付け状態の正面図。
【図５】本発明を実施するための第１の形態の目地カバー取付金具の取付け状態の平面図。
【図６】本発明を実施するための第１の形態の目地カバーの説明図。
【図７】本発明を実施するための第１の形態のガイドレールの取付け状態の正面図。
【図８】本発明を実施するための第１の形態の小口カバーの説明図。
【図９】本発明を実施するための第１の形態の目地部が狭くなった動作説明図。
【図１０】本発明を実施するための第１の形態の目地部が広くなった動作説明図。
【図１１】本発明を実施するための第１の形態の異なる前後方向へ揺れ動いた場合の一方の動作説明図。
【図１２】本発明を実施するための第１の形態の異なる前後方向へ揺れ動いた場合の他方の動作説明図。
【図１３】本発明を実施するための第２の形態の平面図。
【図１４】図１３の１４−１４線に沿う断面図。
【図１５】本発明を実施するための第２の形態の異なる前後方向に揺れ動いた動作説明図。
【図１６】本発明を実施するための第３の形態の平面図。
【図１７】図１６の１７−１７線に沿う断面図。
【図１８】図１６の１８−１８線に沿う断面図。
【発明を実施するための形態】
【００１０】
以下、図面に示す本発明を実施するための形態により、本発明を詳細に説明する。
【００１１】
図１ないし図１２に示す本発明を実施するための第１の形態において、１は一方の建物２の外壁面２ａと目地部３を介して設けられた他方の建物４の目地部側の上部を覆う本発明の笠木装置で、この笠木装置１は後端部が前記一方の建物２の外壁面２ａに複数本のタッピングビス５で固定され、先端部が前記他方の建物４の上面より所定量内側へ突出するように所定間隔で設けられた先端部側の上面が順次下方に位置する傾斜面６の複数個の目地カバー取付金具７と、この複数個の目地カバー取付金具７の上面の傾斜面６に支持され、後端部が前記一方の建物２の外壁面２ａに形成された凹部８内へ挿入されて複数本のタッピングビス９で固定され、先端部が前記複数個の目地カバー取付金具７に固定され、前側面１１ａと前記他方の建物４のパラペット４ａとの間に遊び隙間１０を有するように設けられた目地カバー１１と、この目地カバー１１の後端部の上部位置の前記一方の建物２の外壁面２ａに、該外壁面２ａに沿うように複数本のタッピングビス１２で固定された下端部が開口１３された筒状のガイドレール１４と、このガイドレール１４に沿って移動できるように後端部が取付けられ、先端部が前記目地カバー１１の先端部を覆うスライドカバー１５、このスライドカバー１５の前側面に設けられた前記他方の建物４の壁面４ｂと当接する側壁１６とを備える小口カバー１７と、前記目地カバー１１の先端部に取付けられた前記小口カバー１７のスライドカバー１５を前後方向にスライド移動可能に支持する複数個のローラー１８および前記小口カバー１７のスライドカバー１５にアングル状に折り曲げて形成された係止片１９と係合する振れ止め片２０と、前記ガイドレール１４の上部の一方の建物２の外壁面２ａに複数本のタッピングビス２１で固定された、該ガイドレール１４を覆うクランク状の水切りカバー２２と、前記小口カバー１７の側壁１６が前記他方の建物４の壁面４ｂと当接するように付勢する一端部が小口カバー１７に取付けられ、他端部が前記目地カバー１１の先端部に取付けられた付勢スプリング２３を用いた付勢装置２４と、一端部が前記他方の建物４の目地部側のパラペット２５の内側上部に固定され、他端部が前記目地カバー１１の先端部の内側面に固定された防水、防風を図ることができる波状に配置された伸縮可能なシート２６と、このシート２６を波状に保持する、従来から使用されているシート保持手段２７とで構成されている。
【００１２】
２８は前記他方の建物４の壁面４ｂと前記一方の建物２の外壁面２ａとの間は伸縮でき、かつ両端部が水平方向に回動できるように取付けられた外壁用目地装置である。
【００１３】
前記複数個の目地カバー取付金具７は図４および図５に示すように、ほぼ直角三角形状の目地カバー取付金具本体２９と、この目地カバー取付金具本体２９の直角側の後端部に形成された、直角方向に折り曲げられた前記一方の建物２の外壁面２ａに複数本のタッピングビス５で固定する取付部３０と、前記目地カバー取付金具本体２９の先端部を、直角方向に折り曲げられた目地カバー１１の先端部を複数本のタッピングビス３１で固定する目地カバー取付部３２とで構成されている。
【００１４】
前記目地カバー１１は図６に示すように、前記複数個の目地カバー取付金具７の傾斜面６の上面に支持される目地カバー本体３３と、この目地カバー本体３３の上部端部より上方へ折り曲げられ、前記凹部８内へ挿入されて複数本のタッピングビス９で固定される取付部３４と、前記目地カバー本体３３の下部端部より下方へ折り曲げられた前記目地カバー取付金具７の目地カバー取付部３２に複数本のビス３１で固定される先端取付部３５と、この先端取付部３５の前記小口カバー１７で覆われる部位に所定間隔で取付けられた複数個のローラー１８と、この複数個のローラー１８取付部の下部に取付けられた振れ止め片２０とで構成されている。
【００１５】
前記ガイドレール１４は図７に示すように角部が下部に位置する四角筒状で、かつ下端部が開口１３したガイドレール本体３６と、このガイドレール本体３６の上部に固定された前記一方の建物２の外壁面２ａに複数本のタッピングビス１２で固定されるクランク状の取付金具３７と、前記ガイドレール本体３６の下部側の両壁面３６ａ、３６ａに取付けられたスベリ材や複数個のローラー３８、３８とで構成されている。
【００１６】
前記小口カバー１７は図８に示すように、前記目地カバー１１の上部を覆うスライドカバー１５と、このスライドカバー１５の上端部に上方へ折り曲げられ、上部に前記ガイドレール１４内へ挿入され、かつスベリ材や複数個のローラー３８、３８にスライド移動可能に支持されるように形成された先端部に角柱状の支持部３９を有する支持体４０と、前記スライドカバー１５の下端部より下方へ折り曲げられ、かつ先端部をアングル状に曲げられた前記振れ止め片２０と係合する係止片１９を有する先端部４１と、前記スライドカバー１５の前側部１５ａを下方へ折り曲げて形成した側壁１６とで構成されている。
【００１７】
上記構成の笠木装置１は、通常時は小口カバー１７は付勢装置２４によって、小口カバー１７の側壁１６は外壁用目地装置２８の上部および他方の建物４の壁面４ａと当接するように付勢され、一方の建物２と他方の建物４との目地部３は目地カバー１１および、該目地カバー１１の端部上面に位置する小口カバー１７で、図１および図２に示すように覆われている。
【００１８】
地震で一方の建物２と他方の建物４が揺れ動いて目地部３が狭くなったり、広くなった場合には図９および図１０に示すように、目地カバー１１および小口カバー１７の先端部が他方の建物４の上部を左右方向に移動して、その揺れ動きを吸収する。
【００１９】
次に、地震によって一方の建物２と他方の建物４が異なる前後方向に揺れ動いた場合、図１１に示すように他方の建物４のパラペット２５と目地カバー１１の前側面１１ａとの間の遊び隙間１０分だけ移動するとともに、図１２に示すように他方の建物４の壁面４ｂによって小口カバー１７の側壁１６は外方へ押し付けられ、付勢装置２４の付勢力に抗してガイドレール１４および複数個のローラー１８によって、スムーズに前方へ突出するようにスライド移動して、その揺れ動きを吸収する。  
【００２０】
この時の小口カバー１７の一端部はスベリ材あるいは複数個のローラー３８を介してガイドレール１４に支持体４０が支持され、他端部は複数個のローラー１８によって目地カバー１１は支持されているため、スムーズに移動し、揺れ動きが停止すると付勢装置２４によって、自動的に元の状態へ戻る。
【００２１】
［発明を実施するための異なる形態］
次に、図１３ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図１３ないし図１５に示す本発明を実施するための第２の形態において、前記本発明を実施するための第１の形態と主に異なる点は、他方の建物４の目地部側のパラペット２５に目地カバー取付金具７を左右方向に移動できるように支持できるように、目地カバー取付金具７に長孔４２を形成するとともに、該長孔４２と係合するコ字状の支持金具４３をパラペット２５に固定するとともに、目地カバー１１の先端部の下面を前記パラペット２５の上面より少し上面に位置するようにした点で、このように構成した笠木装置１Ａにしても、前記本発明を実施するための第１の形態と同様な作用効果が得られるとともに、地震で異なる前後方向に一方の建物２と他方の建物４とが揺れ動いても、目地カバー１１の先端部は他方の建物４の上部を前後方向に移動できるため、目地カバー１１の前側面１１ａを他方の建物４の壁面４ｂ近傍に位置させることができ、小口カバー１７の前後方向の寸法の小さいものを使用することができる。
【００２３】
図１６ないし図１８に示す本発明を実施するための第３の形態において、前記本発明を実施するための第１の形態と主に異なる点は、目地カバー１１の後端部に上方へ突出する複数個のローラー４４を備えたガイドレール１４Ａと、このガイドレール１４Ａの複数個のローラー４４に支持されるコ字状の支持部４５をスライドカバー１５の後端部に形成した小口カバー１７Ａと、水切りカバー２２の下端部に、該小口カバー１７Ａのスライドカバー１５と当接するゴムや弾性シート材を用いた防水シート４６とを用いた点で、このようにガイドレール１４Ａを目地カバー１１の後端部に固定して、一方の建物２の外壁面２ａに実質的に取付けるような取付け方法を用いた笠木装置１Ｂにしても、前記本発明を実施するための第１の形態と同様な作用効果が得られる。
【００２４】
なお、前記本発明を実施するための第１・第２の実施の形態では小口カバー１７の支持部３９を角柱状に形成したものを用いたが、角パイプ状、丸パイプ状、丸棒状のものを用いてもよい。
【産業上の利用可能性】
【００２５】
本発明は一方の建物の外壁面と他方の建物の目地部側の上部を覆う笠木装置を製造する産業で利用される。
【符号の説明】
【００２６】
１、１Ａ、１Ｂ：笠木装置、  ２：一方の建物、
３：目地部、        ４：他方の建物、
５：タッピングビス、    ６：傾斜面、
７：目地カバー取付金具、    ８：凹部、
９：タッピングビス、    １０：遊び隙間、
１１：目地カバー、      １２：タッピングビス、
１３：開口、        １４、１４Ａ：ガイドレール、
１５：スライドカバー、    １６：側壁、
１７、１７Ａ：小口カバー、  １８：ローラー、
１９：係止片、      ２０：振れ止め片、
２１：タッピングビス、    ２２：水切りカバー、
２３：付勢スプリング、    ２４：付勢装置、
２５：パラペット、      ２６：シート、
２７：シート保持手段、    ２８：外壁用目地装置、
２９：目地カバー取付金具本体、  ３０：取付部、
３１：ビス、        ３２：目地カバー取付部、
３３：目地カバー本体、    ３４：取付部、
３５：先端取付部、      ３６：ガイドレール本体、
３７：取付金具、      ３８：ローラー、
３９：支持部、      ４０：支持体、
４１：先端部、      ４２：長孔、
４３：支持金具、      ４４：ローラー、
４５：支持部、      ４６：防水シート。
【図１】
2011256639.tif 000003
【図２】
2011256639.tif 000004
【図３】
2011256639.tif 000005
【図４】
2011256639.tif 000006
【図５】
2011256639.tif 000007
【図６】
2011256639.tif 000008
【図７】
2011256639.tif 000009
【図８】
2011256639.tif 000010
【図９】
2011256639.tif 000011
【図１０】
2011256639.tif 000012
【図１１】
2011256639.tif 000013
【図１２】
2011256639.tif 000014
【図１３】
2011256639.tif 000015
【図１４】
2011256639.tif 000016
【図１５】
2011256639.tif 000017
【図１６】
2011256639.tif 000018
【図１７】
2011256639.tif 000019
【図１８】
2011256639.tif 000020